(57)【要約】【課題】安全スイッチの提供。【解決手段】位置決め連動片に開溝が設けられ、該溝内に中央が連通し叉状を呈する複数の溝が設けられ、位置決めロッドが該開溝の複数の溝中をスライドでき、直接位置決め連動片、接触片を駆動し、スイッチのオン或いはオフを形成する。該開溝の第１、第３溝は回路がオフ、オン状態の時の位置決めロッドの位置決め溝とされ、正常状態で、オフからオンに動作中に、該第２溝が位置決めロッド作動時に通過する経路とされる。回路の連接に使用される電流がオーバーロード状態の時、オフからオンとなる動作中、接触片が迅速に熱を受けて変形して反対方向に湾曲し並びに直接位置決め連動片を押動し、この時、第２溝が位置決め連動片の自由回転の経路を提供し、位置決めロッドの阻止を受けずに接触片が順調に反対方向に湾曲し並びに迅速に開離し、電気回路のオフを形成する。【選択図】        図４
2005005207.tif 000002
【特許請求の範囲】
【請求項１】
キー、スイッチ本体、位置決め連動片、接触片を具え、
該キーは、可動式にスイッチ本体の上方に嵌め込まれ、キーがスイッチ本体に対して上下にスライド可能とされ、該キーとスイッチ本体の間に少なくとも一つの弾性手段が組み合わされ、キーにスイッチ本体に対して上向きに移動する弾力が付与され、位置決めロッドがキーとスイッチ本体の間に可動式に組み合わされ、該位置決めロッドの下方の一端に凸棒が形成され、該凸棒がスイッチ本体内の環状階段道に指向するよう折り曲げられ、
該スイッチ本体は、該キーに套設され、スイッチ本体とキーの間に環状階段道が設けられ、該環状階段道中に斜凸片が設けられ、スイッチ本体の底面に少なくとも二つの接触端子が組み付けられ、
該位置決め連動片は一体成形され、環状階段道の開口傍らに組み合わされ、環状階段道の開口に対して左右に揺動し、位置決め連動片よりフック部が延伸され、該フック部が可動式に該接触片の可動端に連接され、
該接触片は、接点が設けられ、片体の２側面に向けて動作可能で、熱を受けて変形する時にオン状態の時と反対の方向に湾曲し、
組合せ時に、位置決めロッドの凸棒が位置決め連動片を貫通して環状階段道中に進入し、実施時に、スイッチのキー、位置決めロッド、位置決め連動片と接触片による、オン動作、オフ動作或いは電流オーバーロード時のオフ動作、スイッチ再使用状態を形成する動作が直接連動の作動関係により達成される安全スイッチにおいて、
該位置決め連動片に開溝が設けられ、該開溝内に中央が連通し全体として叉状を呈する複数の溝が設けられ、位置決めロッドの凸棒が該開溝の複数の溝中をスライド可能とされて位置決め連動片を駆動し、位置決め連動片により接触片を押し引きしてスイッチのオン或いはオフを形成し、
該開溝の第１、第３溝は回路がオフ、オン状態の時の位置決めロッドの位置決め溝とされ、正常状態で、オフからオンに動作中に、開溝の第２溝が位置決めロッド作動時に通過する経路とされ、回路の連接に使用される電流がオーバーロード状態の時、キーが押されてオフからオンとなる動作中、位置決め連動片が接触片を押動して回路をオンとすると同時に、該接触片が熱を受けてオン状態の時と反対の方向に湾曲し、並びに位置決め連動片を押動し回転させ、該第２溝が位置決め連動片の自由回転の経路を提供し、位置決めロッドの阻止を受けずに接触片が迅速にオン状態の時と反対方向に湾曲して接点が開離するようにして、回路オフを形成することを特徴とする、安全スイッチ。
【請求項２】
請求項１記載の安全スイッチにおいて、位置決め連動片の開溝に設けられた溝が三つとされ、これら三つの溝の中央が連通し開溝全体として三叉状を呈することを特徴とする、安全スイッチ。
【請求項３】
請求項１記載の安全スイッチにおいて、位置決め連動片が一つの板片体とされたことを特徴とする、安全スイッチ。
【請求項４】
請求項１記載の安全スイッチにおいて、位置決め連動片の開溝が三つの溝で組成されて三叉状を呈し、開溝の上端が第１溝、左下端が第２溝、右下が第３溝とされ、開溝の下側に結合孔が設けられ、該結合孔がスイッチ本体の環状階段道の傍らに設けられた組合せ孔に対応するよう組み合わせられたことを特徴とする、安全スイッチ。
【請求項５】
請求項１記載の安全スイッチにおいて、位置決め連動片のフック部内側に挟持溝が形成され、該挟持溝が可動式に接触片の可動端を挟持し、接触片と位置決め連動片に直接の連動関係を形成させることを特徴とする、安全スイッチ。
【請求項６】
請求項１記載の安全スイッチにおいて、キーに可動式に組み合わされた位置決めロッドがキーに対して揺動し、位置決めロッドの下方に一端に凸棒が形成され、該凸棒がスイッチ本体に設けられた環状階段道を指向するよう折り曲げられ、該スイッチ本体の内側面に環状階段道が凹設され、該環状階段道中に斜凸片が凸設されたことを特徴とする、安全スイッチ。
【請求項７】
請求項１記載の安全スイッチにおいて、キーとスイッチ本体の間に組み合わされる少なくとも一つの弾性手段が圧縮バネとされたことを特徴とする、安全スイッチ。
【請求項８】
請求項１記載の安全スイッチにおいて、スイッチ本体に少なくとも一つの凹溝が設けられ、該凹溝がキーとスイッチ本体の間の弾性手段を収容し、スイッチ本体とキーの間に少なくとも一つの係止溝、横棒及び該係止溝と横棒に対応する少なくとも一つのフックが設置されたことを特徴とする、安全スイッチ。
【請求項９】
請求項１記載の安全スイッチにおいて、位置決めロッドの上端に穿孔が設けられ、位置決めロッドの穿孔及び弾性手段がキーに設けられた結合柱に套設され、弾性手段が位置決めロッドの穿孔周囲を圧迫して位置決めロッドがキーの結合柱に組み合わされ、位置決めロッドが穿孔を中心としてキーに対して揺動可能とされ、この弾性手段が位置決めロッドに環状階段道を指向する弾力を付与することを特徴とする、安全スイッチ。
【請求項１０】
請求項９記載の安全スイッチにおいて、キーの結合柱に套設された弾性手段が圧縮バネとされたことを特徴とする、安全スイッチ。
【請求項１１】
請求項１記載の安全スイッチにおいて、環状階段道の傍らに組合せ孔が設けられ、位置決め連動片の下側の片体に結合孔が設けられ、ボルトが位置決め連動片の結合孔を通り環状階段道の傍らの組合せ孔中に組み合わされ、位置決め連動片が結合孔を中心として、スイッチ本体の環状階段道に対して左右に揺動可能とされ、位置決め連動片の揺動により、位置決め連動片の開溝の複数の溝の内側辺と環状階段道の斜凸片が閉合或いは開口を形成し、位置決め連動片の凸棒が循環して下方に位置決めされるか開口より環状階段道の上端にジャンプすることを特徴とする、安全スイッチ。
【請求項１２】
請求項１記載の安全スイッチにおいて、接触片が外力により湾曲するよう設置された片体とされ、片体の二側に向けて動作可能とされ、熱を受ける時に設置湾曲方向と反対方向に湾曲することを特徴とする、安全スイッチ。
【請求項１３】
請求項１記載の安全スイッチにおいて、接触片が複合金属薄片とされ、熱を受ける時に一側に向けて変形湾曲することを特徴とする、安全スイッチ。
【発明の詳細な説明】
【０００１】
【発明の属する技術分野】
本発明は一種の安全スイッチに係り、それはキー押圧に連動して位置決めロッドが同期作動し、位置決めロッドと環状階段道及び位置決め連動片間の相互連動が循環位置決め関係を形成し、更に位置決め連動片が直接接触片を押し引きしてスイッチのオンとオフを形成する安全スイッチにおいて、該位置決め連動片に開溝が設けられ、該溝内に中央が連通し叉状を呈する複数の溝が設けられ、位置決めロッドが該開溝の複数の溝中をスライドして位置決め連動片を駆動して接触片を押し引きしてスイッチのオンオフを形成し、特に、電気回路の連接に使用される電流がオーバーロード状態の時、オフからオンとなる動作中、接触片が迅速に熱を受けて変形して反対方向に湾曲し並びに直接位置決め連動片を押動し、この時、第２溝が位置決め連動片の自由回転の経路を提供し（位置決めロッドが第２溝中で相対移動する）、位置決めロッドの阻止を受けずに接触片が順調に反対方向に湾曲し並びに迅速に開離し、電気回路のオフを形成することを特徴とする、安全スイッチに関する。
【０００２】
【従来の技術】
一般に電源スイッチの操作には、オンとオフの二種類の動作行程があり、確実にスイッチ内部部品の連動動作を実行し、スイッチ部品を簡易化して製造コストを減らすため、スイッチ構造の研究改良は業者の重要な共通の課題となっている。
【０００３】
スイッチ構造に係る特許は多く有り、例えば、特許文献１〜５に記載されたものがある。しかしこれらは以下のような共通した欠点がある。
１．連動する部品が多過ぎ、連動の行程が複雑で、キーと末端部品の間の非リアルタイム作動関係が発生し、また製造コストが高くなる。
２．作動関係が不確実であり、故障率が高くなり、消費者の使用の安全に不利である。
３．キー（ボタン）が直接或いは間接的に接触片を圧迫してオン或いはオフを形成するため、接触不良や切断折損を発生しやすく、通電品質が下がり、使用寿命が短くなる。
【０００４】
図１、２、３に示されるのは前述の特許文献３に記載の構造であり、それはボタン押圧に連動してボタン下方の連接棒が動作し、連接棒に連結された上下の揺動部品を介してその下方の接触片が押圧或いは開放されて、上接点と下接点が接触或いは開離して回路のオン或いはオフが形成される。それはボタンで間接的に接触片を押圧或いは開放する方式であり、理想の状態では、操作使用上の問題はないが、その部品が複雑で製造コストが比較的高く、操作による故障が発生しやすく、連動行程反応遅延及び接触片の切断、亀裂、弾性疲労の明らかな欠点を有し、且つオフからオン状態に変わる動作過程で、回路を流れる電流がオーバーロード状態であると、接点が過熱されて火花が発生し、危険である。
【０００５】
【特許文献１】
米国特許第４，１６７，７２０号明細書
【特許文献２】
米国特許第４，９３７，５４８号明細書
【特許文献３】
米国特許第５，２２３，８１３号明細書
【特許文献４】
米国特許第５，４５１，７２９号明細書
【特許文献５】
米国特許第５，５５８，２１１号明細書
【０００６】
【発明が解決しようとする課題】
本発明は周知のスイッチ連動構造の、部品が複雑で、製造コストが高く、連動関係が間接的で、連動行程反応が緩慢でスイッチの操作上の故障が多い欠点、特に、周知の技術のオフからオンに変わる動作過程で回路に存在する電流オーバーロード状態による接点過熱と火花発生による危険の問題を解決することを目的としている。
【０００７】
本発明は一種の安全スイッチを提供し、それは、キー、スイッチ本体、位置決め連動片、接触片を具えている。該キーは可動式にスイッチ本体の上方に連接され、キーとスイッチ本体の間に位置決めロッドが組み付けられ、位置決めロッドの一端が凸棒とされ、該キーとスイッチ本体間の側面に環状階段道が凹設され、該環状階段道中に斜凸片が凸設され、該位置決め連動片に開溝が開設されて環状階段道の開口傍らに組み合わされ且つ環状階段道の開口に対して左右に揺動する。該位置決め連動片よりフック部が延伸され、該フック部が可動式に接触片の活動端に連接され、位置決めロッドの凸棒端が位置決め連動片の開溝を貫通し並びに環状階段道中に進入する。
【０００８】
実施時には、キーの押圧に連動し位置決めロッドが同期に作動し、位置決めロッドと環状階段道及び位置決め連動片間の相互連動により循環位置決め関係が形成され、さらに位置決め連動片が直接接触片を押し引きしてスイッチのオン或いはオフを形成する。オン状態下で電流オーバーロード時に、回路に連通する接触片が熱を受けて変形し反対方向に湾曲し開離し、電気回路が遮断（オフ）され、並びに位置決め連動片が駆動されて回転し、キーを上向きに弾き起こし、再使用状態を形成する。
【０００９】
本発明の特徴は以下のとおりである。該位置決め連動片の開溝内に叉状を呈する複数の連通する溝が設けられ、位置決めロッドが該開溝の複数の溝中をスライドし、直接該位置決め連動片、接触片を駆動し、スイッチのオン或いはオフを形成する。そのうち、該開溝の第１、第３溝がそれぞれ回路のオフ、オン状態時の位置決めロッドの位置決め溝とされる。正常状態下では、オフからオンとなる動作中に、該第２溝は位置決めロッド作動時に通過する経路とされる。電気回路に流れる電流がオーバーロード状態の時、オフからオンとなる動作中、接触片は迅速に熱を受けて変形し反対方向に湾曲し、並びに直接位置決め連動片を駆動し、この時、第２溝が位置決め連動片の自由回転の経路を提供し（位置決めロッドが第２溝中で相対移動する）、位置決めロッドの阻止を受けず、接触片が順調に反対方向に湾曲し並びに迅速に開離し、回路のオフを形成し、スイッチを押圧しオンとする第１時間にオーバーロード電流に感応して回路のオフを形成し、これによりスイッチの電力使用の安全性を強化する。また、接触片の活動端が位置決め連動片を駆動して回転させ、第３溝の開口端と環状階段道の斜凸片の上端部が開口を形成し、位置決めロッドが第３溝内縁の阻止を受けず、キーが上向きに弾き起こされて直接もとのオフ状態に回復する。
【００１０】
本発明は位置決めロッド、環状階段道、位置決め連動片及び接触片で組成された簡単な直接連動構造とされ、その主要な目的は、該位置決め連動片の開溝の連通する叉状の複数の溝により位置決めロッドを開溝の複数の溝中でスライドさせて、位置決めロッドにより直接位置決め連動片を駆動し並びに直接接触片を押し引きしてスイッチのオン或いはオフ状態を形成し、回路に流れる電流がオーバーロード状態の時、キーを押圧してオフからオンとする動作過程で、接触片が迅速に熱を受けて変形し反対方向に湾曲して直接位置決め連動片を押動し、第２溝が位置決め連動片の自由回転の経路を提供し、位置決めロッドの阻止を受けずに接触片が順調に迅速に反対方向に湾曲して開離し、位置決めロッドが第３溝のオンの位置に進入せずに直接開離して第１溝に至り、もとのオフの位置に回復し、回路のオフを形成し、電力使用の安全性を確保できるようにすることにある。
【００１１】
本発明のさらに一つの目的は、電気回路の連接使用が電流オーバーロード状態下であると、スイッチが押圧され通電する第１時間にオーバーロード電流に感応して開離、回路遮断を形成し、スイッチの動作行程反応が敏感で迅速であり、接点の局部過熱及び火花の発生を防止でき、電力使用の安全性を強化できるようにすることにある。
【００１２】
本発明の延伸目的は、スイッチ全体の連動部品を少なくし、組立を容易として製造コストを減らし、並びにスイッチ構造の使用寿命を延長し、消費者の支出を減らすことにある。
【００１３】
【課題を解決するための手段】
請求項１の発明は、キー、スイッチ本体、位置決め連動片、接触片を具え、
該キーは、可動式にスイッチ本体の上方に嵌め込まれ、キーがスイッチ本体に対して上下にスライド可能とされ、該キーとスイッチ本体の間に少なくとも一つの弾性手段が組み合わされ、キーにスイッチ本体に対して上向きに移動する弾力が付与され、位置決めロッドがキーとスイッチ本体の間に可動式に組み合わされ、該位置決めロッドの下方の一端に凸棒が形成され、該凸棒がスイッチ本体内の環状階段道に指向するよう折り曲げられ、
該スイッチ本体は、該キーに套設され、スイッチ本体とキーの間に環状階段道が設けられ、該環状階段道中に斜凸片が設けられ、スイッチ本体の底面に少なくとも二つの接触端子が組み付けられ、
該位置決め連動片は一体成形され、環状階段道の開口傍らに組み合わされ、環状階段道の開口に対して左右に揺動し、位置決め連動片よりフック部が延伸され、該フック部が可動式に該接触片の可動端に連接され、
該接触片は、接点が設けられ、片体の２側面に向けて動作可能で、熱を受けて変形する時にオン状態の時と反対の方向に湾曲し、
組合せ時に、位置決めロッドの凸棒が位置決め連動片を貫通して環状階段道中に進入し、実施時に、スイッチのキー、位置決めロッド、位置決め連動片と接触片による、オン動作、オフ動作或いは電流オーバーロード時のオフ動作、スイッチ再使用状態を形成する動作が直接連動の作動関係により達成される安全スイッチにおいて、
該位置決め連動片に開溝が設けられ、該開溝内に中央が連通し全体として叉状を呈する複数の溝が設けられ、位置決めロッドの凸棒が該開溝の複数の溝中をスライド可能とされて位置決め連動片を駆動し、位置決め連動片により接触片を押し引きしてスイッチのオン或いはオフを形成し、
該開溝の第１、第３溝は回路がオフ、オン状態の時の位置決めロッドの位置決め溝とされ、正常状態で、オフからオンに動作中に、開溝の第２溝が位置決めロッド作動時に通過する経路とされ、回路の連接に使用される電流がオーバーロード状態の時、キーが押されてオフからオンとなる動作中、位置決め連動片が接触片を押動して回路をオンとすると同時に、該接触片が熱を受けてオン状態の時と反対の方向に湾曲し、並びに位置決め連動片を押動し回転させ、該第２溝が位置決め連動片の自由回転の経路を提供し、位置決めロッドの阻止を受けずに接触片が迅速にオン状態の時と反対方向に湾曲して接点が開離するようにして、回路オフを形成することを特徴とする、安全スイッチとしている。
請求項２の発明は、請求項１記載の安全スイッチにおいて、位置決め連動片の開溝に設けられた溝が三つとされ、これら三つの溝の中央が連通し開溝全体として三叉状を呈することを特徴とする、安全スイッチとしている。
請求項３の発明は、請求項１記載の安全スイッチにおいて、位置決め連動片が一つの板片体とされたことを特徴とする、安全スイッチとしている。
請求項４の発明は、請求項１記載の安全スイッチにおいて、位置決め連動片の開溝が三つの溝で組成されて三叉状を呈し、開溝の上端が第１溝、左下端が第２溝、右下が第３溝とされ、開溝の下側に結合孔が設けられ、該結合孔がスイッチ本体の環状階段道の傍らに設けられた組合せ孔に対応するよう組み合わせられたことを特徴とする、安全スイッチとしている。
請求項５の発明は、請求項１記載の安全スイッチにおいて、位置決め連動片のフック部内側に挟持溝が形成され、該挟持溝が可動式に接触片の可動端を挟持し、接触片と位置決め連動片に直接の連動関係を形成させることを特徴とする、安全スイッチとしている。
請求項６の発明は、請求項１記載の安全スイッチにおいて、キーに可動式に組み合わされた位置決めロッドがキーに対して揺動し、位置決めロッドの下方に一端に凸棒が形成され、該凸棒がスイッチ本体に設けられた環状階段道を指向するよう折り曲げられ、該スイッチ本体の内側面に環状階段道が凹設され、該環状階段道中に斜凸片が凸設されたことを特徴とする、安全スイッチとしている。
請求項７の発明は、請求項１記載の安全スイッチにおいて、キーとスイッチ本体の間に組み合わされる少なくとも一つの弾性手段が圧縮バネとされたことを特徴とする、安全スイッチとしている。
請求項８の発明は、請求項１記載の安全スイッチにおいて、スイッチ本体に少なくとも一つの凹溝が設けられ、該凹溝がキーとスイッチ本体の間の弾性手段を収容し、スイッチ本体とキーの間に少なくとも一つの係止溝、横棒及び該係止溝と横棒に対応する少なくとも一つのフックが設置されたことを特徴とする、安全スイッチとしている。
請求項９の発明は、請求項１記載の安全スイッチにおいて、位置決めロッドの上端に穿孔が設けられ、位置決めロッドの穿孔及び弾性手段がキーに設けられた結合柱に套設され、弾性手段が位置決めロッドの穿孔周囲を圧迫して位置決めロッドがキーの結合柱に組み合わされ、位置決めロッドが穿孔を中心としてキーに対して揺動可能とされ、この弾性手段が位置決めロッドに環状階段道を指向する弾力を付与することを特徴とする、安全スイッチとしている。
請求項１０の発明は、請求項９記載の安全スイッチにおいて、キーの結合柱に套設された弾性手段が圧縮バネとされたことを特徴とする、安全スイッチとしている。
請求項１１の発明は、請求項１記載の安全スイッチにおいて、環状階段道の傍らに組合せ孔が設けられ、位置決め連動片の下側の片体に結合孔が設けられ、ボルトが位置決め連動片の結合孔を通り環状階段道の傍らの組合せ孔中に組み合わされ、位置決め連動片が結合孔を中心として、スイッチ本体の環状階段道に対して左右に揺動可能とされ、位置決め連動片の揺動により、位置決め連動片の開溝の複数の溝の内側辺と環状階段道の斜凸片が閉合或いは開口を形成し、位置決め連動片の凸棒が循環して下方に位置決めされるか開口より環状階段道の上端にジャンプすることを特徴とする、安全スイッチとしている。
請求項１２の発明は、請求項１記載の安全スイッチにおいて、接触片が外力により湾曲するよう設置された片体とされ、片体の二側に向けて動作可能とされ、熱を受ける時に設置湾曲方向と反対方向に湾曲することを特徴とする、安全スイッチとしている。としている。
請求項１３の発明は、請求項１記載の安全スイッチにおいて、接触片が複合金属薄片とされ、熱を受ける時に一側に向けて変形湾曲することを特徴とする、安全スイッチとしている。
【００１４】
【発明の実施の形態】
図４は本発明の実施例の分解斜視図、図５はスイッチ本体の斜視図、図６は本発明の組合せ断面図である。本発明の安全スイッチは、キー１、スイッチ本体２、位置決め連動片３、接触片４を具えている。
【００１５】
該キー１の上方に、カバー１０が組み合わされ、キー１の側面に少なくとも一つのフック１１が凸設され、キー１が可動式にスイッチ本体２の上方開口に嵌め込まれ、キー１とスイッチ本体２の間に少なくとも一つの弾性手段１２が組み合わされ、本実施例では該弾性手段１２は圧縮バネとされ、キー１に外向き（上向き）の弾力を付与している。キー１の側面に結合柱１３が設けられ、該結合柱１３に位置決めロッド１４が組み合わされる。該位置決めロッド１４の上端が穿孔１４１とされ、位置決めロッド１４の下方の一端に凸棒１４２が形成され、該凸棒１４２端が折り曲げられてスイッチ本体２内の環状階段道２２を指向し、位置決めロッド１４の穿孔１４１及び弾性手段１５が結合柱１３に套設され、弾性手段１５の弾力により位置決めロッド１４の穿孔１４１周縁が押圧され、位置決めロッド１４がキー１の結合柱１３に組み合わされ、位置決めロッド１４が穿孔１４１を中心としてキー１に対して揺動可能とされ、該弾性手段１５が位置決めロッド１４に環状階段道２２方向を指向する弾力を付与し、本実施例では該弾性手段１５は圧縮バネとされている。
【００１６】
該スイッチ本体２に前述のキー１とスイッチ本体２の間の弾性手段１５を収容するための少なくとも一つの凹溝２７が設けられ、該スイッチ本体２の内壁面に少なくとも一つの係止溝２０と一つの横棒２１が設けられ、該係止溝２０と横棒２１がキー１の両側面に凸設された少なくとも一つのフック１１に対応し、スイッチ本体２の内側面に多角形の環状階段道２２が凹設され、該環状階段道２２中に斜凸片が凸設され、該環状階段道２２の下の傍らに組合せ孔２４が設けられている。スイッチ本体２の底面に少なくとも二つの接触端子が組み付けられ、本実施例では二つの接触端子が組み付けられ、それぞれ第１接触端子２５、第２接触端子２６とされている。該第１接触端子２５の上方の折り曲げ部に二つの凸柱２５１が設けられ、第２接触端子２６の上方に接点孔２６１が設けられ、該接点孔２６１に第２接点２６２が結合されている。
【００１７】
該位置決め連動片３は一体成形され、それは一つの板片体とされ、中央に開溝３１を具え、該開溝３１内に叉状を呈する複数の連通する溝が設けられ、本実施例では、該開溝３１に設けられた溝は三つとされ、三つの溝の中央が相互に連通し三叉状とされている。開溝３１の上端は第１溝Ａとされ、左下端が第２溝Ｂとされ、右下端が第３溝Ｃとされ、開溝３１の下に結合孔３２が設けられ、ボルト３０が該結合孔３２を通りスイッチ本体２の環状階段道２２の下の傍らの組合せ孔２４中に組み合わされ、これにより位置決め連動片３が結合孔３２を中心としスイッチ本体２の環状階段道２２に対して左右に揺動可能とされる。位置決め連動片３よりフック部３３が延伸され、該フック部３３内側に挟持溝３３２が形成され、該挟持溝３３２が可動式に接触片４の可動端を挟持し、接触片４と位置決め連動片３が直接の連動関係を発生するものとされる。
【００１８】
該接触片４は弾性を有する片体とされて第１接点４２２が設けられ、該第１接点４２２が片体の二側面に向けて動作可能とされ、熱を受ける時に変形して上記第２接点２６２と離反する方向に湾曲し、本実施例では、接触片４の両側に支持ピン４１が設けられ、中間が弾性片４２とされ、全体としてＥ形を呈し、この両側の支持ピン４１の開口端部分にそれぞれ穿孔４１０が設けられ、二つの穿孔４１０の間の距離が前述の第１接触端子２５の二つの凸柱２５１の間の距離より僅かに大きく、二つの支持ピン４１が僅かに接近させられて二つの穿孔４１０がそれぞれ第１接触端子２５の対応する凸柱２５１に套設され、これにより接触片４が僅かにアーチ状とされ、中間部分の弾性片４２の自由端が接触片４の湾曲方向と反対に湾曲し、弾性片４２の自由端に接点孔４２１が設けられ、該接点孔４２１に下向きに第１接点４２２が組み付けられ、本実施例では、接触片４が熱を受ける時に一側に向けて湾曲変形する二層金属片とされる。
【００１９】
組合せ時には、位置決めロッド１４の凸棒１４２端が位置決め連動片３の開溝３１を通り並びにスイッチ本体２の環状階段道２２中に進入する。
具体的な実施は以下のとおりである。図６から図９を参照されたい。スイッチがオフ状態の時、図６に示されるように、使用者がキー１のカバー１０を押圧すると、キー１が下向きに移動するのに伴い位置決めロッド１４が下向きに移動し、位置決めロッド１４の凸棒１４２が環状階段道２２中で斜凸片２３の上側面に沿って左下向きに移動し、逆時計回りに環状階段道２２に沿って斜凸片２３の下側面に至り、該位置決めロッド１４の凸棒１４２が位置決め連動片３の開溝３１に接触してそれを押動し、第１溝Ａより第２溝Ｂに至り、位置決め連動片３を左向きに回転させる。これは図７に示されるようであり、側面視によると、開溝３１の第３溝Ｃの上側はほぼ水平状とされて環状階段道２２中の斜凸片２３の左下側面と連結されて閉合され、キー１が開放されると、位置決めロッド１４の凸棒１４２が環状階段道２２の斜凸片２３の左下側面に沿って滑り開溝３１の第３溝Ｃ開口内縁上側辺に至り位置決めされ、位置決めロッド１４の下向きの位置決め状態が形成され、これは図８に示されるとおりである。同時に、位置決め連動片３が凸棒１４２により押されて結合孔３２を中心として左向き（逆時計回り）に回転し、位置決め連動片３のフック部３３が上向きに回転し、挟持溝３３２が接触片４の可動端を上向きに挟持し、接触片４中の弾性片４２が反対に下向きとされ、弾性片４２の自由端の第１接点４２２が下向きに第２接点２６２と接触し、回路のオン状態を形成する。
【００２０】
スイッチがオン状態の時、図８に示されるように、使用者がキー１のカバー１０を押圧すると、キー１に連帯して位置決めロッド１４が下向きに移動し、位置決めロッド１４の凸棒１４２が環状階段道２２中で左下向きに移動し、位置決めロッド１４の凸棒１４２が位置決め連動片３の開溝３１を押動して第３溝Ｃ中で右向きにスライドし、位置決め連動片３を右向きに回転させ、開溝３１の第３溝Ｃがもとの水平状態から回転して右端が下向きで左端が上向きの傾斜状となり、該第３溝Ｃの開口端が環状階段道２２中の斜凸片２３の上端部と開口を形成し、図９に示されるようになる。このとき、位置決めロッド１４の凸棒１４２が開溝３１の第３溝Ｃ上側辺の阻止より開放され、キー１内部の弾性手段１２（圧縮バネ）の弾性伸張により、キー１及び位置決めロッド１４が上向きに弾かれ、位置決めロッド１４の凸棒１４２が第３溝Ｃに沿って開口端に向けて環状階段道２２に沿って上向きに移動し、位置決め連動片３の開溝３１の第３溝Ｃの上端に至り、同時に位置決めロッド１４の凸棒１４２が環状階段道２２中で斜凸片２３の左上側面に至り、位置決めロッド１４及びキー１の上向き位置決めの状態を形成し、これは図６に示されるとおりである。図８、９から図６の状態に至る過程で、位置決めロッド１４が右向き下方に移動する時、凸棒１４２が開溝３１の第３溝Ｃを押動し、位置決め連動片３を結合孔３２を中心として右向き（時計回り）に回転させ、位置決め連動片３のフック部３３を下向きに駆動し、フック部３３の挟持溝３３２が接触片４の可動端を下向きに挟持し、接触片４の弾性片４２を反対に上向きに移動させ、接触片４の円弧方向と反対方向となし、弾性片４２の自由端に設けられた第１接点４２２を第２接点２６２と開離させ回路のオフ状態を形成する。
【００２１】
回路がオン状態で、図８に示されるように、電流がオーバーロードの時、接触片４が熱を受けて変形し反対方向に湾曲（下向きに湾曲し）、接触片４の可動端が下向きとされ、接触片４中の弾性片４２が反対に上向きに湾曲し、弾性片４２の自由端の第１接点４２２が上向きに第２接点２６２と分離し、電気回路のオフ状態を形成し、同時に、接触片４の可動端が下向きに湾曲する時、位置決め連動片３のフック部３３が下向きに駆動されて、位置決め連動片３が結合孔３２を中心として右向き（時計回り）に回転し、環状階段道２２中の斜凸片２３の上端部と第３溝Ｃの開口端が開放口を形成し、図１０に示されるようになり、このとき、位置決めロッド１４の凸棒１４２が開溝３１の第３溝Ｃ内側の阻止を失い、キー１内部の弾性手段１２（圧縮バネ）の弾性伸張により、キー１と位置決めロッド１４が上向きに弾かれ、位置決めロッド１４の凸棒１４２が第３溝Ｃに沿って開口端に向けて及び環状階段道２２に沿って上に移動し、位置決め連動片３の開溝３１の第１溝Ａの上端に至り、同時に位置決めロッド１４の凸棒１４２が環状階段道２２中で移動して斜凸片２３の左上側面に至り、位置決めロッド１４とキー１の上向き位置決め状態が形成され、これは図６に示されるとおりであり、電流オーバーロード時の接点開離とキー１の位置決めロッド１４の再使用状態への回復が達成される。
【００２２】
図１１に示されるように、本発明の主要な特徴は、位置決め連動片３の開溝３１に中央が連通する叉状を成す複数の溝が形成されたことにあり、該溝は好ましくは三つの溝（第１溝Ａ、第２溝Ｂ、第３溝Ｃ）とされ、これら三つの溝の中央が連通して三叉状とされている。位置決めロッド１４は開溝３１の三つの溝（第１溝Ａ、第２溝Ｂ、第３溝Ｃ）中をスライドし、位置決めロッド１４が位置決め連動片３を駆動して直接接触片４を駆動しスイッチのオンとオフ状態を形成させる。そのうち、該開溝３１の複数の溝中の第１溝Ａ、第３溝Ｃはそれぞれオフ状態、オン状態時の位置決めロッド１４の位置決め溝とされ、これは図６、８に示されるとおりである。正常状態下では、第２溝Ｂは位置決めロッド１４の作動過程中に通過する経路とされ、これは図６、７、８の連続動作図に示されるとおりである。電気回路に連接使用される電流がオーバーロード時には、キー１が押圧されてオフからオン状態に至る動作中に、図６から図７に示される動作過程のように、位置決め連動片３が接触片４を駆動して回路のオン状態を形成させ、同時に、接触片４が迅速に熱を受けて変形して反対方向に湾曲し並びに直接位置決め連動片３を回転させ、これは図１１を参照されたい。第２溝Ｂが位置決め連動片３を右向き（時計回り）に自由回転させる経路を提供し、位置決め連動片３が位置決めロッド１４の阻止を受けず、接触片４を自由に迅速に反対方向に湾曲させて、回路のオフ状態を形成し、スイッチの押圧によりオンとなる第１時間にオーバーロード電流に感応して接点を開離させてオフ状態を形成し、スイッチの電力使用の安全性を強化している。
【００２３】
また、接触片４の可動端が位置決め連動片３を駆動して回転させ、第３溝Ｃの開口端と環状階段道２２の斜凸片２３上端部に開口を形成させ、位置決めロッド１４が第３溝Ｃ内縁の阻止を受けないようにし、且つ位置決めロッド１４が第３溝Ｃの回路をオンとする位置に進入しなくとも、直接第１溝Ａに至り、もとのオフ位置に至り、回路のオフ状態を形成し、その作動過程が簡易化され、迅速で、電力使用の安全性を確保できる。
【００２４】
【発明の効果】
本発明は、キー１と位置決めロッド１４が同期に上向き或いは下向きに作動し、位置決めロッド１４とスイッチ本体２の環状階段道２２及び位置決め連動片３の相互連動により循環位置決め関係が形成され、さらに位置決め連動片３のフック部３３が接触片４を押し引きしてスイッチのオン或いはオフを形成し、オンの後に電流オーバーロード時に、リアルタイムで接点を開離させてオフとする機能を有し、並びにキー１がオフとされて再使用状態とされる。本発明は特に電流オーバーロード状態で、キー１が押圧されてオフからオンに変わる動作過程で、第２溝Ｂが位置決め連動片３に右向きの自由回転の経路を提供し、位置決めロッド１４の阻止を受けずに接触片４が迅速に熱を受けて変形して反対方向に湾曲し接点が開離し、回路のオフを形成し、スイッチが押圧によりオンとなる第１時間内にオーバーロード電流に感応して回路のオフを形成し、スイッチの電力使用の安全性を高める。本発明の部品構造、作動関係は実用機能を有し、且つこれまでにない新設計とされ、機能性と進歩性を具備し、ゆえに特許の要件を具えている。
【００２５】
なお、以上の実施例は本発明の実施範囲を限定するものではなく、本発明に基づきなしうる細部の修飾或いは改変は、いずれも本発明の請求範囲に属するものとする。
【図面の簡単な説明】
【図１】周知の技術の分解斜視図である。
【図２】周知の技術の断面図であり、オフの状態を示す。
【図３】周知の技術の断面図であり、オンの状態を示す。
【図４】本発明の実施例の分解斜視図である。
【図５】本発明の実施例のスイッチ本体と位置決め連動片の斜視図である。
【図６】本発明の組合せ断面図であり、オフの状態を示す。
【図７】本発明の組合せ断面図であり、オフの状態から押圧を受けて連動する状態を示す。
【図８】本発明の組合せ断面図であり、オンの状態を示す。
【図９】本発明の組合せ断面図であり、オンの状態からスイッチが下まで押圧されて位置決めロッドの凸棒が位置決め連動片の制限より離脱し、上向きに動作する状態を示す。
【図１０】本発明の組合せ断面図であり、オンの状態で電流がオーバーロードの時、接触片が反対方向に湾曲し接点が開離し、位置決め連動片が回転移動し、位置決めロッドの凸棒が制限を離脱して上向きに動作する状態を示す。
【図１１】本発明の組合せ断面図であり、使用回路が電流オーバーロード状況にあって、オフから押圧によりオンとなる動作中に、接触片が反対方向に湾曲し接点が開離し、迅速にオフ状態を形成し、接触片が位置決め連動片を回転させ、位置決めロッドが第２溝中を左に移動し、位置決めロッドの凸棒が第３溝の制限より離脱して上向きに動作する状態を示す。
【符号の説明】
１  キー
１０  カバー
１１  フック
１２  弾性手段（圧縮バネ）
１３  結合柱
１４  位置決めロッド
１４１  穿孔
１４２  凸棒
１５  弾性手段（圧縮バネ）
２  スイッチ本体
２０  係止溝
２１  横棒
２２  環状階段道
２３  斜凸片
２４  組合せ孔
２５  第１接触端子
２５１  凸柱
２６  第２接触端子
２６１  接点孔
２６２  第２接点
２７  凹溝
３  位置決め連動片
３０  ボルト
３１  開溝
３２  結合孔
３３  フック部
３３２  挟持溝
Ａ  第１溝
Ｂ  第２溝
Ｃ  第３溝
４  接点片
４１  支持ピン
４１０  穿孔
４２  弾性片
４２１  接点孔
４２２  第１接点
【図１】
2005005207.tif 000003
【図２】
2005005207.tif 000004
【図３】
2005005207.tif 000005
【図４】
2005005207.tif 000006
【図５】
2005005207.tif 000007
【図６】
2005005207.tif 000008
【図７】
2005005207.tif 000009
【図８】
2005005207.tif 000010
【図９】
2005005207.tif 000011
【図１０】
2005005207.tif 000012
【図１１】
2005005207.tif 000013